(57)【要約】【課題】パチンコ球等の磁性材球を精度よく且つ効率よく発射できる磁性材球発射装置を提供すること。【解決手段】球吸引のための電磁コイル２１と、該電磁コイル２１の励磁によって吸引された磁性材球２４が電磁コイル２１の軸方向中心に到達する以前に励磁を停止させる励磁電流制御部と、電磁コイル２１の略中心部を貫通した案内路２２を備えた磁性材球発射装置２０において、案内路２２を通過する磁性材球２４の中心が電磁コイル２１の軸中心付近を通過するように該案内路２２の内周面に周方向に等間隔で配置した複数本の線状部材２３から構成される案内部材を設けた。【選択図】図５
2005312634.tif 000002
【特許請求の範囲】
【請求項１】
球吸引のための電磁コイルと、該電磁コイルの励磁によって吸引された磁性材球が前記電磁コイルの軸方向の中心に到達する以前に励磁を停止させる励磁電流制御部と、前記励磁コイルの略中心部を貫通した案内路を備えた磁性材球発射装置において、
前記案内路を通過する前記磁性材球の中心が前記電磁コイルの軸中心付近を通過するように構成した案内部材を設けたことを特徴とする磁性材球発射装置。
【請求項２】
請求項１に記載の磁性材球発射装置において、
前記案内部材は、前記電磁コイルの軸中心を中心とした円周上で且つ軸方向に配置された３条以上の線状部材又は突条部によって構成されていることを特徴とする磁性材球発射装置。
【請求項３】
請求項１又は２に記載の磁性材球発射装置において、
前記案内部材の入口部及び出口部は内側が狭く外側が広いテーパー状に形成されていることを特徴とする磁性材球発射装置。
【発明の詳細な説明】
【技術分野】
【０００１】
本発明は、パチンコ機等の遊戯機の球供給部に供給された鋼球等の磁性材球を発射させる磁性材球発射装置に関するものである。
【背景技術】
【０００２】
従来この種の磁性材球発射装置としては特許文献１に開示されたパチンコ球発射装置がある。図１はパチンコ機の正面図であり、ハンドル１を回すとパチンコ球発射装置２からパチンコ球３が発射され、このパチンコ球３は球案内路４に沿って打ち上げられる。
【０００３】
図２はパチンコ球発射装置２の入口に連結される球供給部の構成例を示す図である。図２において、５はパチンコ球が待機する待機路であり、図の左方向に向かって下方に傾斜している。該待機路５の終端にはパチンコ球３を止める段部６が設けられている。また、待機路５の終端近傍直下には電磁ソレノイド７が設けられており、この電磁ソレノイドに通電することによりプランジャ８が上方に駆動され、段部６側のパチンコ球３を押し上げる。これによりパチンコ球３は供給路９に導かれ、パチンコ球発射装置２の入口で停止する。次に、パチンコ球発射装置２の電磁コイル１０に通電することにより、パチンコ球３は電磁コイル１０に吸引される。パチンコ球３が電磁コイル１０の軸方向中心に到達する以前に図示しない励磁電流制御部により、電磁コイル１０の通電を停止するとパチンコ球３は図の左方向に発射される。
【特許文献１】特開平７−３２８１８５号公報
【発明の開示】
【発明が解決しようとする課題】
【０００４】
図３は、従来のパチンコ球発射装置２の要部の構成例を示す断面図である。４は電磁コイル１０の中央部を貫通して設けられたパチンコ球３を案内する円筒状の案内路であり、該案内路４はその直径がパチンコ球３の直径より大きくできているため、案内路４中を滑動するパチンコ球３の中心は、案内路４の中心（電磁コイル１０の中心）より下方に位置している。一方、電磁コイル１０から発生する磁束は電磁コイル１０の中心部が最大となる。ここで、案内路４中を滑動するパチンコ球３の中心が案内路４の中心（電磁コイル１０の中心）より下方に位置しているということは、パチンコ球３は磁束密度が最大である案内路４の中心部（上方）へ向かう力を受けることになる。即ち、励磁電流制御部によって電磁コイル１０が励磁されると、パチンコ球３は案内路４から浮き上がる力を受けて滑動することになる。
【０００５】
上記のようにパチンコ球３が案内路４から浮き上がる力を受けて滑動するということは、パチンコ球３は上下左右方向に不安定に動きやすくなる。その結果、パチンコ球３の発射方向精度が悪くなる。この対策として図４に示すように、案内路４内に断面Ｖ字形状のレール１３を設け、パチンコ球３の中心が電磁コイル１０の中心より上方に位置するようにしたものがある。このようにすることにより、電磁コイル１０に通電すると、パチンコ球３は常に磁束密度の大きい電磁コイル１０の中心方向への力を受ける。即ち、パチンコ球３はレール１３に押された状態で滑動することになり、発射精度が向上する。
【０００６】
ところが、上記のように案内路４内にＶ字状のレール１３を設け、パチンコ球３の中心が電磁コイル１０の中心より上方に位置するようにすると、パチンコ球３がＶ字状レール１３に押し付けられる形になるため、パチンコ球３とＶ字状レール１３との間に摩擦が発生し、該摩擦による摩擦損により電磁コイル１０の発射力が低減されるという問題がある。また、パチンコ球３の中心が電磁コイル１０の中心にないため、パチンコ球３が電磁コイル１０から磁束を最も効率よく受けないという問題がある。
【０００７】
本発明は上述の点に鑑みてなされたもので、パチンコ球等の磁性材球を精度よく且つ効率よく発射できる磁性材球発射装置を提供することを目的とする。
【課題を解決するための手段】
【０００８】
上記課題を解決するため請求項１に記載の発明は、球吸引のための電磁コイルと、該電磁コイルの励磁によって吸引された磁性材球が電磁コイルの軸方向中心に到達する以前に励磁を停止させる励磁電流制御部と、電磁コイルの略中心部を貫通した案内路を備えた磁性材球発射装置において、案内路を通過する磁性材球の中心が電磁コイルの軸中心付近を通過するように構成した案内部材を設けたことを特徴とする。
【０００９】
請求項２に記載の発明は、請求項１に記載の磁性材球発射装置において、案内部材は、電磁コイルの軸中心を中心とした円周上で且つ軸方向に配置された３条以上の線状部材又は突条部によって構成されていることを特徴とする。
【００１０】
請求項３に記載の発明は、請求項１又は２に記載の磁性材球発射装置において、案内部材の入口部及び出口部は内側が狭く外側が広いテーパー状に形成されていることを特徴とする。
【発明の効果】
【００１１】
請求項１に記載の発明によれば、案内路を通過する磁性材球の中心が電磁コイルの軸中心付近を通過するように案内部材を設けたことにより、磁性材球は電磁コイルが発する磁束を最も効率良く受け、磁性材球を軸方向に精度よく発射できる。
【００１２】
請求項２に記載の発明によれば、案内部材は電磁コイルの軸中心を中心した円周上で且つ軸方向に配置された３条以上の線状部材又は突条部によって構成されているので、案内部材により案内される磁性材球の中心は常に電磁コイルの軸中心と略一致するから、磁性材球は電磁コイルが発する磁束を最も効率良く受け、磁性材球を軸方向に精度よく発射できる。
【００１３】
請求項３に記載の発明によれば、案内部材の入口部及び出口部は内側が狭く外側が広いテーパー状に形成されているので、磁性材球は案内部材に滑らかに進入し、発射される。
【発明を実施するための最良の形態】
【００１４】
以下、本発明の実施の形態例を図面に基いて説明する。図５は本発明に係る磁性材球発射装置の要部構成を示す図で、図５（ａ）は横断面図、図５（ｂ）は縦断面図である。本磁性材球発射装置２０は、図示するように、電磁コイル２１の円筒状の案内路２２の内周面に円周方向に等間隔で且つ軸方向に複数本（図では４本）の線状部材２３を配置している。該４本の線状部材２３で構成される案内部材で案内される磁性材球２４の中心が円筒状の案内路２２の軸中心、即ち電磁コイル２１の軸中心と略一致するように、線状部材２３の直径を設定している。案内部材の入口部２５及び出口部２６には内側が狭く外側が広いテーパー状に形成されたテーパー面２３ａが設けられている。
【００１５】
上記構成の磁性材球発射装置２０において、電磁コイル２１に通電することにより、磁性材球２４は電磁コイル２１に吸引される。磁性材球２４が電磁コイル２１の軸方向中心に到達する以前に図示しない励磁電流制御部により、電磁コイル２１の通電を停止すると磁性材球２４は出口部２６から発射される。この時、上記のように磁性材球２４の中心は電磁コイル２１の軸中心と略一致するように、線状部材２３の直径を設定しているので、磁性材球２４は電磁コイル２１で発生する磁束を最も効率よく受け、軸方向に向かう発射力を受ける。即ち、磁性材球２４自体がどこかに押し付けられることがないため、摩擦による発射力の損失を防ぐことができる。ここで、線状部材２３はセラミックやＰＥＥＫ等の摺動性のよい硬い材料で構成される。
【００１６】
上記構成の磁性材球発射装置２０では、線状部材２３の端部を電磁コイル２１の端部と一致させて構成したが、線状部材２３の端部は図６に示すように、電磁コイル２１の端部から所定量突出させて配置してもよい。また、線状部材２３は必ずしも９０°間隔の等配である必要がなく、要は磁性材球２４の中心が電磁コイル２１の軸中心となるように直径を設定し、円筒状案内路２２の内周面に周方向に等間隔で配置するのであれば、３本以上の複数本でもよい。
【００１７】
なお、上記例では、断面円形状の線状部材２３を円筒状の案内路２２の内周面に周方向に等間隔で配置して、磁性材球２４の中心が電磁コイル２１の軸中心となるように配置したが、線状部材２３は必ずしもこれに限定する必要がなく、例えば図７に示すように、断面半円状の線状部材２７を円筒状の案内路２２の内周面に周方向に等間隔で配置してもよい。また、図示は省略するが、円筒状の案内路２２と一体に突条部を円周方向に等間隔に設けて、磁性材球２４の中心が電磁コイル２１の軸中心と一致するように突条部の高さ寸法を設定してもよい。
【００１８】
また、本発明に係る磁性材球発射装置で発射される磁性材球は、パチンコ球に限定されるものではなく、鋼鉄等の磁性材でできている球であれば、どのような磁性材球でも発射の対象となる。
【００１９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。
【図面の簡単な説明】
【００２０】
【図１】パチンコ機の正面図である。
【図２】パチンコ球発射装置の球供給部を示す図である。
【図３】従来のパチンコ球発射装置の要部の断面図である。
【図４】従来のパチンコ球発射装置の要部の断面図である。
【図５】本発明に係る磁性材球発射装置の要部の構成例を示す図で、図５（ａ）は横断面図、図５（ｂ）は縦断面図である。
【図６】本発明に係る磁性材球発射装置の要部の構成例を示す縦断面図である。
【図７】本発明に係る磁性材球発射装置の要部の構成例を示す横断面図である。
【符号の説明】
【００２１】
２０      磁性材球発射装置
２１      電磁コイル
２２      案内路
２３      線状部材
２４      磁性材球
２５      入口部
２６      出口部
２７      線状部材
【図１】
2005312634.tif 000003
【図２】
2005312634.tif 000004
【図３】
2005312634.tif 000005
【図４】
2005312634.tif 000006
【図５】
2005312634.tif 000007
【図６】
2005312634.tif 000008
【図７】
2005312634.tif 000009